(57)【要約】【課題】  シーク動作中に発生するＴ／Ｆクロストークの影響を低減して、シーク動作を誤りなく行なう光ディスク再生装置を提供する。【解決手段】  デフォーカス量特定回路７１は、光ディスクの挿入後、かつシーク動作前の期間において、トラッキングサーボをオフにした状態でフォーカスエラーの振幅が最小となるデフォーカス量をフォーカスエラー最小デフォーカス量ＦＭＤＦとして特定し、トラッキングサーボをオンにした状態でジッタ量が最小となるデフォーカス量をジッタ最小デフォーカス量ＪＭＤＦとして特定する。デフォーカス量供給回路７３は、シーク動作中に、フォーカスエラー最小デフォーカス量ＦＭＤＦをフォーカスサーボ回路６２に送って、フォーカス制御を行なわせ、シーク動作の終了後に、ジッタ最小デフォーカス量ＪＭＤＦをフォーカスサーボ回路６２に送って、フォーカス制御を行なわせる。【選択図】        図１
2005063566.tif 000002
【特許請求の範囲】
【請求項１】
フォーカスエラー信号と、デフォーカス量とにしたがって、対物レンズのフォーカス制御を行なうフォーカスサーボ回路を備えた光ディスク再生装置において、
光ディスクの挿入後、かつシーク動作前の期間において、フォーカスサーボがオン、かつトラッキングサーボがオフの状態でフォーカスエラーの振幅が最小となるデフォーカス量を第１のデフォーカス量として特定し、フォーカスサーボがオン、かつトラッキングサーボがオンの状態でジッタ量が最小となるデフォーカス量を第２のデフォーカス量として特定するデフォーカス量特定回路と、
シーク動作中のフォーカスサーボがオン、かつトラッキングサーボがオフの状態のときに、前記第１のデフォーカス量を前記フォーカスサーボ回路に供給し、シーク動作の終了後のフォーカスサーボがオン、かつトラッキングサーボがオンの状態のときに、前記第２のデフォーカス量を前記フォーカスサーボ回路に供給するデフォーカス量供給回路とを備えた光ディスク再生装置。
【請求項２】
フォーカスエラー信号と、デフォーカス量とにしたがって、対物レンズのフォーカス制御を行なうフォーカスサーボ回路を備えた光ディスク再生装置において、
光ディスクの挿入後、かつシーク動作前の期間において、フォーカスサーボがオン、かつトラッキングサーボがオフの状態でフォーカスエラーの振幅が最小となるデフォーカス量を特定するデフォーカス量特定回路と、
シーク動作中のフォーカスサーボがオン、かつトラッキングサーボがオフの状態のときに、前記特定されたデフォーカス量を前記フォーカスサーボ回路に供給するデフォーカス量供給回路とを備えた光ディスク再生装置。
【発明の詳細な説明】
【技術分野】
【０００１】
本発明は、光ディスク再生装置に関し、特に対物レンズのデフォーカス調整を行なう光ディスク再生装置に関する。
【背景技術】
【０００２】
光ディスク再生装置には、対物レンズのデフォーカス調整を行なうものがある。たとえば、特許文献１には、その従来の技術の欄に、以下のような制御方法が記載されている。
【０００３】
光ディスクの再生の指令が出されると、制御回路は光ピックアップのレーザダイオードを発光させた後、フォーカスアクチュエータを駆動し対物レンズを所定の移動範囲内で移動させる。この対物レンズの移動範囲は、この移動範囲内に光ビームの合焦点に対応する対物レンズ位置が存在するように予め設定されている。
【０００４】
これと平行して、制御回路は、フォーカス引き込みを行なう。より具体的には、対物レンズ移動中に検出されるフォーカスエラー信号をモニターして、対物レンズが合焦点に対応する位置に到達した場合には、フォーカスエラー信号を制御信号として閉ループ制御モードに入る。
【０００５】
次に、スピンドルモータを起動し、通常再生時よりも線速度の調整許容範囲がやや広いラフＣＬＶモードとなったところで、サーボの基準電圧レベルにトラッキングエラー信号振幅のセンターが一致するようにオフセット調整を行なう。
【０００６】
次に、トラッキング引き込みが行なわれる。トラッキング引き込みが行なわれたところで、ジッタ最良点あるいは情報信号振幅を最大とするデフォーカス調整を行なう。
【０００７】
デフォーカス調整後、フォーカスサーボおよびトラッキングサーボのゲインを最適値とするＡＧＣ（オートゲインコントロール）が行なわれ、データの読込みが行なわれる。
【０００８】
このように対物レンズをジッタが最良となるようにデフォーカス調整することによって、光ディスクの読取りエラーを減少することができる。
【特許文献１】特開平８−３３９５５０号公報
【発明の開示】
【発明が解決しようとする課題】
【０００９】
しかしながら、シーク動作時には、光ビームがトラックを横断するが、トラック横断に同期した交流成分がフォーカスエラー信号に重畳されることが知られている。このような交流成分の発生は、４分割フォトディテクタ（４ＰＤ）の各分割部分が出力する信号の振幅にばらつきがあり、かつフォーカスエラー信号が非点収差法によって生成されることに起因する。この交流成分をＴ／Ｆクロストークという。
【００１０】
したがって、ジッタ量が最良となるようにデフォーカス量を調整しても、シーク動作中には、Ｔ／Ｆクロストークの影響によって、フォーカスがずれてしまい、それにより横断トラック数のカウントの精度が悪くなる。その結果、光ビームが目的のトラックへ辿りつけなくなり、シーク動作に失敗する。
【００１１】
それゆえに、本発明の目的は、シーク動作中に発生するＴ／Ｆクロストークの影響を低減して、シーク動作を誤りなく行なう光ディスク再生装置を提供することである。
【課題を解決するための手段】
【００１２】
上記課題を解決するために、本発明は、フォーカスエラー信号と、デフォーカス量とにしたがって、対物レンズのフォーカス制御を行なうフォーカスサーボ回路を備えた光ディスク再生装置において、光ディスクの挿入後、かつシーク動作前の期間において、フォーカスサーボがオン、かつトラッキングサーボがオフの状態でフォーカスエラーの振幅が最小となるデフォーカス量を第１のデフォーカス量として特定し、フォーカスサーボがオン、かつトラッキングサーボがオンの状態でジッタ量が最小となるデフォーカス量を第２のデフォーカス量として特定するデフォーカス量特定回路と、シーク動作中のフォーカスサーボがオン、かつトラッキングサーボがオフの状態のときに、第１のデフォーカス量をフォーカスサーボ回路に供給し、シーク動作の終了後のフォーカスサーボがオン、かつトラッキングサーボがオンの状態のときに、第２のデフォーカス量をフォーカスサーボ回路に供給するデフォーカス量供給回路とを備える。
【００１３】
また、本発明は、フォーカスエラー信号と、デフォーカス量とにしたがって、対物レンズのフォーカス制御を行なうフォーカスサーボ回路を備えた光ディスク再生装置において、光ディスクの挿入後、かつシーク動作前の期間において、フォーカスサーボがオン、かつトラッキングサーボがオフの状態でフォーカスエラーの振幅が最小となるデフォーカス量を特定するデフォーカス量特定回路と、シーク動作中のフォーカスサーボがオン、かつトラッキングサーボがオフの状態のときに、特定されたデフォーカス量をフォーカスサーボ回路に供給するデフォーカス量供給回路とを備える。
【発明の効果】
【００１４】
本発明によれば、シーク中に発生するＴ／Ｆクロストークの影響を低減して、シーク動作を誤りなく行なうことができる。
【発明を実施するための最良の形態】
【００１５】
以下、本発明の実施の形態について、図面を用いて説明する。
【００１６】
（構成）
図１は、本実施の形態に係る光ディスク再生装置の概略構成図である。同図を参照して、この光ディスク再生装置は、モータ１と、ディスクドライブコントローラ２と、ヘッドアクセス制御部３と、ガイド５０と、ピックアップ装置１０と、信号処理部４と、トラッキングサーボ回路６１と、フォーカスサーボ回路６２と、バイアス回路７０とを備える。
【００１７】
モータ１は、ディスクドライブコントローラ２からの制御信号を受けて、光ディスク２０を所定の回転数で回転させる。
【００１８】
ピックアップ装置１０は、ヘッドアクセス制御部３によって、ガイド５０にそって光ディスク２０の半径方向に駆動される。ピックアップ装置１０は、光源である半導体レーザ１３と、半導体レーザ１３から出力されたレーザ光を光ディスク２０の記録面に集光するとともに記録面からの反射光が入射される対物レンズ１１と、対物レンズ１１を駆動する対物レンズ駆動装置１２とを備える。
【００１９】
対物レンズ駆動装置１２は、マグネットとコイルとを備える。対物レンズ駆動装置１２は、フォーカスサーボ回路６２の制御の下、マグネットから生じる磁界中に置かれたフォーカスコイルに電流を流すことによって、対物レンズ１１をフォーカス方向に駆動する。また、対物レンズ駆動装置１２は、トラッキングサーボ回路６１の制御の下、マグネットから生じる磁界中に置かれたトラッキングコイルに電流を流すことによって、対物レンズ１１をトラッキング方向に駆動する。
【００２０】
信号処理部４は、再生回路３０と、エラー検出回路４０と、ジッタ量測定回路４３とを含む。
【００２１】
再生回路３０は、対物レンズ１１に入射された反射光を検出し、記録面に記録されたデータの再生信号を出力する。
【００２２】
ジッタ量測定回路４３は、再生回路３０から出力される再生信号のジッタ量を算出する。
【００２３】
エラー検出回路４０は、トラッキングエラー検出回路４１と、フォーカスエラー検出回路４２とを含む。
【００２４】
トラッキングエラー検出回路４１は、対物レンズに入射された反射信号より、対物レンズホルダのトラッキング方向のずれ（光ディスクの半径方向のずれ）を検出して、検出したずれに基づいて、トラッキングエラー信号を生成する。
【００２５】
フォーカスエラー検出回路４２は、非点収差法によって、対物レンズに入射された反射信号に基づいて、対物レンズホルダのフォーカス方向のずれ（レーザ光の光軸のずれ）を検出して、検出したずれに基づいて、フォーカスエラー信号を生成する。
【００２６】
トラッキングサーボ回路６１は、トラッキングエラー検出回路４１から送られるトラッキングエラー信号に基づいて、対物レンズ駆動装置１２による対物レンズ１１のトラッキングを制御する。トラッキングサーボ回路６１は、光ディスクの挿入後、かつシーク動作前の期間のジッタ最小デフォーカス量ＪＭＤＦの特定時およびシーク動作終了後に、トラッキング制御を行ない（トラッキングサーボオン）、光ディスクの挿入後、かつシーク動作前の期間のフォーカスエラー最小デフォーカス量ＦＭＤＦの特定時およびシーク動作中に、トラッキング制御を停止する（トラッキングサーボオフ）。
【００２７】
フォーカスサーボ回路６２は、フォーカスエラー検出回路４２から送られるフォーカスエラー信号と、バイアス回路７０から送られるデフォーカス量との和に応じて、対物レンズ駆動装置１２による対物レンス１１のフォーカスを制御する。フォーカスサーボ回路６２は、光ディスクの挿入後にフォーカス制御を行ない（フォーカスサーボオン）、光ディスクの排出後にフォーカス制御を停止する（フォーカスサーボオフ）。
【００２８】
バイアス回路７０は、デフォーカス量特定回路７１と、ＪＴメモリ７４と、ＦＥメモリ７５と、デフォーカス量供給回路７３とを備える。
【００２９】
デフォーカス量特定回路７１は、トラッキングサーボがオン、かつフォーカスサーボがオンの状態で、デフォーカス量を所定量ずつ順次変化させてフォーカスサーボ回路６２に出力する。デフォーカス量特定回路７１は、変化したデフォーカス量に基づいて行なわれたフォーカス制御によって、変化したジッタ量をジッタ量測定回路４３から取得する。デフォーカス量特定回路７１は、ジッタ量の大きさが最小となるデフォーカス量を特定して、ジッタ最小デフォーカス量ＪＭＤＦとしてＪＴメモリ７４に書込む。
【００３０】
図２は、ジッタ最小デフォーカス量ＪＭＤＦとフォーカスエラー信号の値との関係を示す。同図に示すように、特定されたジッタ最小デフォーカス量ＪＭＤＦをフォーカスサーボ回路６２に与えても、フォーカスエラーの値は「０」とならない。
【００３１】
デフォーカス量特定回路７１は、トラッキングサーボがオフ、かつフォーカスサーボがオンの状態で、デフォーカス量を所定量ずつ順次変化させてフォーカスサーボ回路６２に出力する。デフォーカス量特定回路７１は、変化したデフォーカス量に基づいて行なわれたフォーカス制御によって、変化したフォーカスエラー信号をフォーカスエラー検出回路４２から取得する。デフォーカス量特定回路７１は、フォーカスエラー信号の振幅が最小となるデフォーカス量を特定して、フォーカスエラー最小デフォーカス量ＦＭＤＦとしてＦＥメモリ７５に書込む。
【００３２】
図３は、フォーカスエラー最小デフォーカス量ＦＭＤＦとフォーカスエラー信号の値との関係を示す。同図に示すように、特定されたフォーカスエラー最小デフォーカス量ＦＭＤＦをフォーカスサーボ回路６２に与えると、フォーカスエラーの値は「０」となる。
【００３３】
ＪＴメモリ７４は、ジッタ最小デフォーカス量ＪＭＤＦを記憶する。
【００３４】
ＦＥメモリ７５は、フォーカスエラー最小デフォーカス量ＦＭＤＦを記憶する。
【００３５】
デフォーカス量供給回路７３は、シーク動作中には、ＦＥメモリ７５に記憶されているフォーカスエラー最小デフォーカス量ＦＭＤＦを出力する。また、デフォーカス量供給回路７３は、シーク動作の終了後には、ＪＴメモリ７４に記憶されているジッタ最小デフォーカス量ＪＭＤＦを出力する。
【００３６】
（動作）
次に、図４に示すフローチャートを参照して、本発明の実施形態に係る光ディスク再生装置のフォーカス制御処理の動作について説明する。
【００３７】
まず、光ディスク再生装置への光ディスクの挿入後、かつシーク動作前の期間において、フォーカスサーボ回路６２は、フォーカス制御動作を開始し（フォーカスサーボオン）、トラッキングサーボ回路６１は、トラッキング制御動作を停止する（トラッキングサーボオフ）（ステップＳ１０１）。
【００３８】
次に、デフォーカス量特定回路７１は、デフォーカス量を所定量ずつ順次変化させて出力する。フォーカスサーボ回路６２は、フォーカスエラー検出回路４２から送られるフォーカスエラー信号の値と、デフォーカス量特定回路７２から送られるデフォーカス量の和に応じて、フォーカス制御を行なう。デフォーカス量特定回路７１は、このフォーカス制御によって変化するフォーカスエラー信号をフォーカスエラー検出回路４２から取得する。
【００３９】
デフォーカス量特定回路７１は、フォーカスエラー信号の振幅が最小となるデフォーカス量を特定して、フォーカスエラー最小デフォーカス量ＦＭＤＦとしてＦＥメモリ７５に書込む（ステップＳ１０２）。
【００４０】
次に、フォーカス制御動作を続行し（フォーカスサーボオン）、トラッキングサーボ回路６１は、トラッキング制御動作を開始する（トラッキングサーボオン）（ステップＳ１０３）。
【００４１】
次に、デフォーカス量特定回路７１は、デフォーカス量を所定量ずつ順次変化させて出力する。フォーカスサーボ回路６２は、フォーカスエラー検出回路４２から送られるフォーカスエラー信号の値と、デフォーカス量特定回路７２から送られるデフォーカス量の和に応じて、フォーカス制御を行なう。デフォーカス量特定回路７１は、このフォーカス制御によって変化するジッタ量をジッタ量測定回路４３から取得する。
【００４２】
デフォーカス量特定回路７１は、ジッタ量の大きさが最小となるデフォーカス量を特定して、ジッタ最小デフォーカス量ＪＭＤＦとしてＪＴメモリ７４に書込む（ステップＳ１０４）。
【００４３】
次に、シーク動作が開始されると、フォーカス制御回路６２は、フォーカス制御動作を続行し（フォーカスサーボオン）、トラッキングサーボ回路６１は、トラッキング制御動作を停止する（トラッキングサーボオフ）（ステップＳ１０５）。
【００４４】
デフォーカス量供給回路７３は、ＦＥメモリ７５に記憶されているフォーカスエラー最小デフォーカス量ＦＭＤＦを出力する。フォーカスサーボ回路７２は、フォーカスエラー検出回路４２から送られるフォーカスエラー信号と、デフォーカス量供給回路７１から送られるフォーカスエラー最小デフォーカス量ＦＭＤＦとの和に従って、対物レンズ駆動装置１２による対物レンス１１のフォーカスを制御する（ステップＳ１０６）。
【００４５】
シーク動作の終了後には、フォーカス制御回路６２は、フォーカス制御動作を続行し（フォーカスサーボオン）、トラッキングサーボ回路６１は、トラッキング制御動作を再開する（トラッキングサーボオン）（ステップＳ１０７）。
【００４６】
デフォーカス量供給回路７３は、ＪＴメモリ７４に記憶されているジッタ最小デフォーカス量ＪＭＤＦを出力する。フォーカスサーボ回路６２は、フォーカスエラー検出回路４２から送られるフォーカスエラー信号と、デフォーカス量供給回路７３から送られるジッタ最小デフォーカス量ＪＭＤＦとの和に応じて、対物レンズ駆動装置１２による対物レンス１１のフォーカスを制御する（ステップＳ１０８）。
【００４７】
以上のように、本実施の形態に係る光ディスク再生装置によれば、光ディスクの挿入後、かつシーク動作前の期間において、フォーカスエラー信号の振幅が最小となるフォーカスエラー最小デフォーカス量ＦＭＤＦを特定しておき、シーク動作中に、このフォーカスエラー最小デフォーカス量ＦＭＤＦを用いて、デフォーカス調整を行なうので、シーク動作中に発生するＴ／Ｆクロストークの影響を低減して、シーク動作を誤りなく行なうことができる。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４９】
【図１】本発明の実施の形態に係る光ディスク再生装置の概略構成図である。
【図２】ジッタ最小デフォーカス量ＪＭＤＦとフォーカスエラー信号の値との関係を示す図である。
【図３】フォーカスエラー最小デフォーカス量ＦＭＤＦとフォーカスエラー信号の値との関係を示す図である。
【図４】本発明の実施の形態に係る光ディスク再生装置のフォーカス制御処理の動作手順を示すフローチャートである。
【符号の説明】
【００５０】
１  モータ、２  ディスクドライブコントローラ、３  ヘッドアクセス制御部、４  信号処理部、１０  ピックアップ装置、１１  対物レンズ、１２  対物レンズ駆動装置、１３  半導体レーザ、２０  光ディスク、３０  再生回路、４０  エラー検出回路、４１  トラッキングエラー検出回路、４２  フォーカスエラー検出回路、４３  ジッタ量測定回路、５０  ガイド、６１  トラッキングサーボ回路、６２  フォーカスサーボ回路、７０  バイアス回路、７１  デフォーカス量特定回路、７３  デフォーカス量供給回路、７４  ＪＴメモリ、７５  ＦＥメモリ。
【図１】
2005063566.tif 000003
【図２】
2005063566.tif 000004
【図３】
2005063566.tif 000005
【図４】
2005063566.tif 000006